【事件の表示】
　特願２００７−　９３１１０「薄膜パターン層を有する基板構造とその製造方法」拒絶査定不服審判事件〔平成１９年１０月２５日出願公開、特開２００７−２７９７２５〕について、次のとおり審決する。
【結　論】
　本件審判の請求は、成り立たない。
【理　由】
１．手続の経緯
　
　本願は、平成１９年３月３０日（パリ条約による優先権主張　平成１８年４月７日　台湾）の出願であって、平成２２年１月１４日付けで拒絶の理由が通知され、同年４月２日付けで拒絶査定がなされ、これに対して同年７月８日に拒絶査定不服審判の請求がなされると同時に手続補正がなされたものである。
　その後、前置報告書の内容について、審判請求人の意見を求めるために平成２３年４月２７日付けで審尋がなされ、同年８月１０日付けで当該審尋に対する回答書が提出された。
　
　
　
２．補正の却下の決定
　
［補正の却下の決定の結論］
　
　平成２２年７月８日付け手続補正（以下「本件補正」という）を却下する。
　
［理由］
　
２−１．本願補正発明
　
　本件補正は、本件補正前の特許請求の範囲の請求項１の記載を以下のとおり補正することを含むものである。
　
「　基板と、該基板の上に形成される複数の隔壁とを含み、隣接する前記隔壁と前記基板との間に、インクを収容する複数の収容空間を形成する基板構造であって、前記基板構造は、更に複数の収容空間に形成される薄膜パターン層を含み、該薄膜パターン層は、二つの隣接する収容空間の間の隔壁
の側面及び上面
　
　上記の請求項１に係る補正は、本件補正前の特許請求の範囲の請求項１に記載した発明を特定するための事項である「薄膜パターン層」が「覆う」「隔壁」の範囲について、「側面及び上面」と限定するものであり、平成１８年法律第５５号改正附則第３条第１項によりなお従前の例によるとされる同法による改正前の特許法（以下「平成１８年改正前特許法」という）第１７条の２第４項第２号に規定する特許請求の範囲の減縮を目的とする補正に該当する。
　
　そこで、本件補正後の特許請求の範囲の請求項１に記載した発明（以下「本願補正発明」という）が特許出願の際独立して特許を受けることができるものであるか、すなわち平成１８年改正前特許法第１７条の２第５項において準用する同法第１２６条第５項の規定に適合するかについて以下に検討する。
　
　
２−２．引用発明
　
２−２−１．刊行物の記載事項
　
　本願の優先日前に頒布され、原査定の拒絶の理由に引用された刊行物である、特開２００３−１２８９６６号（以下「引用例」という）には、以下の技術事項が記載されている（後述の「２−２−２．引用発明の認定」において引用した記載に下線を付した）。
　
記載事項ａ．【０１６３】乃至【０１７４】
「【０１６３】（
カラーフィルター
【０１６４】（１）第一の方法
本発明に係るカラーフィルター用インクジェットインク組成物として、顔料を配合した画素部形成用インクを用いるカラーフィルターの製造方法の一例を、以下に説明する。先ず、図４（Ａ）に示すようにカラーフィルターの透明基板１５を準備する。この透明基板としては、従来よりカラーフィルターに用いられているものであれば特に限定されるものではないが、例えば石英ガラス、パイレックスガラス（登録商標）、合成石英板等の可とう性のない透明なリジット材、あるいは透明樹脂フィルム、光学用樹脂板等の可とう性を有する透明なフレキシブル材を用いることができる。この中で特にコーニング社製７０５９ガラスは、熱膨脹率の小さい素材であり寸法安定性および高温加熱処理における作業性に優れ、また、ガラス中にアルカリ成分を含まない無アルカリガラスであるため、アクティブマトリックス方式によるカラー液晶表示装置用のカラーフィルターに適している。本発明においては、通常、透明基板を用いるが、反射性の基板や白色に着色した基板でも用いることは可能である。また、基板は、必要に応じてアルカリ溶出防止やガスバリア性付与その他の目的で表面処理を施したものを用いてもよい。
【０１６５】次に、図４（Ｂ）に示すように、
透明基板１５の一面側の画素部間の境界となる領域にブラックマトリックス層１６を形成する
【０１６６】また、ブラックマトリックス層１６としては、樹脂バインダー中にカーボン微粒子、金属酸化物、無機顔料、有機顔料等の遮光性粒子を含有させた層であってもよい。用いられる樹脂バインダーとしては、ポリイミド樹脂、アクリル樹脂、エポキシ樹脂、ポリアクリルアミド、ポリビニルアルコール、ゼラチン、カゼイン、セルロース等の樹脂を１種または２種以上混合したものや、感光性樹脂、さらにはＯ／Ｗエマルジョン型の樹脂組成物、例えば、反応性シリコーンをエマルジョン化したもの等を用いることができる。このような樹脂製ブラックマトリックス層の厚みとしては、０．５〜１０μｍの範囲内で設定することができる。このような樹脂製ブラックマトリックス層のパターニングの方法としては、フォトリソ法、印刷法等一般的に用いられている方法を用いることができる。
【０１６７】次に、図４（Ｃ）に示すように、
ブラックマトリックス層のパターンの幅方向中央に、ブラックマトリックス層よりも幅の狭い撥インク性凸部１７を必要に応じて形成する
【０１６８】撥インク性凸部のパターニングは、撥インク性樹脂組成物の塗工液を用いる印刷や、光硬化性塗工液を用いるフォトリソグラフィーにより行うことができる。
撥インク性凸部の高さは、上述したようにインクジェット法により着色する際にインクが混色することを防止するために設けられるものである
【０１６９】次に、Ｒ、Ｇ又はＢの顔料が配合された本発明に係る各色の画素部形成用インク組成物を用意する。そして、図４（Ｄ）に示すように、
透明基板１５の表面に、ブラックマトリックス層１６のパターンにより画成された各色の画素部形成領域１８Ｒ、１８Ｇ、１８Ｂに、対応する色の画素部形成用インクをインクジェット方式により吹き付けてインク層を形成する
インク層は赤色パターン、緑色パターン及び青色パターンが
ストライプ型
の形態で配列されるように形成される
【０１７０】次に、図４（Ｅ）に示すように、
各色のインク層２０Ｒ、２０Ｇ、２０Ｂを硬化させる
インク層には、インク層を硬化させた後、必要に応じて、ポストベークを行って画素部を形成する
【０１７１】次に、図４（Ｆ）に示すように、透明基板の
画素部２２Ｒ、２２Ｇ、２２Ｂ
【０１７２】保護膜上の透明電極は、酸化インジウムスズ（ＩＴＯ）、酸化亜鉛（ＺｎＯ）、酸化スズ（ＳｎＯ）等、およびそれらの合金等を用いて、スパッタリング法、真空蒸着法、ＣＶＤ法等の一般的な方法により形成され、必要に応じてフォトレジストを用いたエッチング又は治具の使用により所定のパターンとしたものである。この透明電極の厚みは２０〜５００ｎｍ程度、好ましくは１００〜３００ｎｍ程度とすることできる。
【０１７３】透明電極上に柱状スペーサーを形成する場合には、光硬化性樹脂組成物の塗工液を、スピンコーター、ロールコーター、スプレイ、印刷等の方法により塗布し、フォトマスクを介する紫外線照射により露光し、アルカリ現像後、クリーンオーブン等で加熱硬化することにより形成できる。柱状スペーサーは、例えば、５μｍ程度の高さに形成される。スピンコーターの回転数も保護膜を形成する場合と同様に、５００〜１５００回転／分の範囲内で設定すればよい。
【０１７４】このようにして、本発明に係るカラーフィルター用インクジェットインク組成物を用いてカラーフィルター１０３が製造される。そして、このカラーフィルターの内面側に配向膜を形成し、電極基板と対向させ、間隙部に液晶を満たして密封することにより、液晶パネルが得られる。」
　
記載事項ｂ．図４
「
　　　　　　　　　　　　　　　　　　　　　　　　　　　　　　　　　」
　
　
２−２−２．引用発明の認定
　
　記載事項ａには、以下のように記載されている。
「ブラックマトリックス層のパターンの幅方向中央に、ブラックマトリックス層よりも幅の狭い撥インク性凸部１７を必要に応じて形成する。」（【０１６７】）
「撥インク性凸部の高さは、上述したようにインクジェット法により着色する際にインクが混色することを防止するために設けられるものである・・・」（【０１６８】）
　これらの記載及び記載事項ｂ（図４）の記載内容から、引用例の「カラーフィルター」のインク層及び該インク層から形成される画素部２２Ｒ、２２Ｇ、２２Ｂは、ブラックマトリックス層１６の側面と上面のうち、撥インク性凸部１７が形成された部位を除く全ての部位、すなわち、ブラックマトリックス層１６の側面及び上面の一部を覆っているといえる。
　
　上記事項及び記載事項ａの記載内容から、引用例には、
　
「　透明基板１５の一面側の画素部間の境界となる領域にブラックマトリックス層１６が形成され、
　ブラックマトリックス層のパターンの幅方向中央に、ブラックマトリックス層よりも幅の狭い撥インク性凸部１７が形成され、
　透明基板１５の表面に、ブラックマトリックス層１６のパターンにより画成された各色の画素部形成領域１８Ｒ、１８Ｇ、１８Ｂに、対応する色の画素部形成用インクをインクジェット方式により吹き付けてインク層が形成され、
　インク層は赤色パターン、緑色パターン及び青色パターンがストライプ型の形態で配列されるように形成され、
　各色のインク層２０Ｒ、２０Ｇ、２０Ｂを硬化させ、
　インク層には、インク層を硬化させた後、ポストベークを行って画素部２２Ｒ、２２Ｇ、２２Ｂを形成し、
　画素部２２Ｒ、２２Ｇ、２２Ｂは、ブラックマトリックス層１６の側面及び上面の一部を覆っている、
　カラーフィルター。」
　
（以下「引用発明」という）が記載されていると認められる。
　
　
２−３．対比及び判断
　
　本願補正発明と引用発明を対比する。
　
　引用発明の「透明基板１５」は、本願補正発明の「基板」に相当する。
　本願の明細書の段落【００１１】及び図８等を参酌するに、本願補正発明における「該基板の上に形成される複数の隔壁」とは、複数の収容空間が形成されるように基板上を区画する隔壁を意味するものと認められる。一方、引用発明は、「ブラックマトリックス層１６のパターンにより画成された各色の画素部形成領域１８Ｒ、１８Ｇ、１８Ｂ」を有するものであるから、引用発明の「ブラックマトリックス層１６」は、複数の収容空間が形成されるように基板上を区画するものであるといえる。したがって、引用発明の「ブラックマトリックス層１６」は、本願補正発明の「該基板上に形成される複数の隔壁」に相当する。
　本願の明細書の段落【００１１】及び図８等を参酌するに、本願補正発明における「隣接する前記隔壁と前記基板との間に、インクを収容する複数の収容空間を形成する」とは、インクを収容するための複数の収容空間が、隔壁により囲まれた基板上の領域として形成されていることを意味するものと認められる。一方、引用発明は、「透明基板１５の表面に、ブラックマトリックス層１６のパターンにより画成された各色の画素部形成領域１８Ｒ、１８Ｇ、１８Ｂに、対応する色の画素部形成用インクをインクジェット方式により吹き付けてインク層が形成され」るものであるから、インクを収容するための複数の収容空間が、ブラックマトリックス層１６により囲まれた基板上の領域として形成されているといえる。したがって、引用発明の「透明基板１５の表面に、ブラックマトリックス層１６のパターンにより画成された各色の画素部形成領域１８Ｒ、１８Ｇ、１８Ｂ」を有することは、本願補正発明の「隣接する前記隔壁と前記基板との間に、インクを収容する複数の収容空間を形成する」ことに相当する。
　引用発明の「画素部形成領域１８Ｒ、１８Ｇ、１８Ｂに、対応する色の画素部形成用インクをインクジェット方式により吹き付けて」「形成され」た「インク層」は、本願補正発明の「複数の収容空間に形成される薄膜パターン層」に相当する。
　引用発明の「ブラックマトリックス層１６」は「画素部間の境界となる領域に」「形成され」たものであり、かつ、「ブラックマトリックス層１６のパターン」により「各色の画素部形成領域１８Ｒ、１８Ｇ、１８Ｂ」が画成されるものであるから、引用発明の「ブラックマトリックス層１６」は、二つの隣接する「画素部形成領域」の間に存在するものであるといえる。よって、引用発明の「画素部２２Ｒ、２２Ｇ、２２Ｂは、ブラックマトリックス層１６の側面及び上面の一部を覆っている」ことは、本願補正発明の「該薄膜パターン層は、二つの隣接する収容空間の間の隔壁の側面及び上面を覆うこと」に相当する。
　引用発明の「カラーフィルター」は、本願補正発明の「基板構造」に相当する。
　
　したがって、本願補正発明と引用発明とは、
　
「　基板と、該基板の上に形成される複数の隔壁とを含み、隣接する前記隔壁と前記基板との間に、インクを収容する複数の収容空間を形成する基板構造であって、前記基板構造は、更に複数の収容空間に形成される薄膜パターン層を含み、該薄膜パターン層は、二つの隣接する収容空間の間の隔壁の側面及び上面を覆う、薄膜パターン層を有する基板構造。」
　
の点で一致し、相違点はない。
　
　よって、本願補正発明は、引用発明である。
　
　
　なお、前述したように、引用発明の「画素部２２Ｒ、２２Ｇ、２２Ｂは、ブラックマトリックス層１６の」「上面の一部を覆っている」ことが、本願補正発明の「該薄膜パターン層は、二つの隣接する収容空間の間の隔壁の」「上面を覆うこと」に相当するが、例え本願補正発明の「隔壁の」「上面を覆うこと」が、“隔壁の上面全体を覆う”ことを意味するとしても、以下に述べるように、当業者が引用発明から容易に想到し得るものと認められる。
　
　引用発明は、「インク層は赤色パターン、緑色パターン及び青色パターンがストライプ型の形態で配列されるように形成され」るものである。
　（インク層によって形成される）画素部をストライプ型とする際に、ブラックマトリックスにより形成される画素部形成領域の形状（マトリックス配置）は維持したまま、インクを複数の画素部形成領域に跨って供給することは、本願の優先日前に周知の技術思想である（例えば、特開２０００−２５８６２２号（【００２０】乃至【００３８】、図１、図３参照））。
　よって、引用発明において、画素部をストライプ型とする際に上記周知の技術思想を採用することにより、（インク層により形成される）画素部が、画素部をストライプ型とする際に結合されることになる複数の画素部形成領域の間のブラックマトリックス層１６の上面の全体を覆う（具体的には、当該複数の画素部形成領域の間のブラックマトリックス層１６の上面に撥インク性凸部１７を形成しない）構成とすることは、当業者が容易に想到し得ることである。
　
　
２−４．補正の却下の決定のむすび
　
　以上のとおり、本願補正発明は、引用発明であるから、特許法第２９条第１項第３号に規定する発明に該当し、特許出願の際独立して特許を受けることができない。
　したがって、本件補正は、平成１８年改正前特許法１７条の２第５項において準用する同法第１２６条第５項の規定に違反するものであり、特許法第１５９条第１項で読み替えて準用する同法第５３条第１項の規定により却下すべきものである。
　
　
　
３．本願発明について
　
３−１．本願発明
　
　本件補正は上記のとおり却下されたので、本願の特許請求の範囲の請求項１に係る発明（以下「本願発明」という）は、出願当初の特許請求の範囲の請求項１に記載された事項により特定される以下のとおりのものである。
　
「　基板と、該基板の上に形成される複数の隔壁とを含み、隣接する前記隔壁と前記基板との間に、インクを収容する複数の収容空間を形成する基板構造であって、前記基板構造は、更に複数の収容空間に形成される薄膜パターン層を含み、該薄膜パターン層は、二つの隣接する収容空間の間の隔壁を覆うことを特徴とする薄膜パターン層を有する基板構造。」
　
　
３−２．引用発明
　
　引用例及びその記載事項は、前記「２−２．引用発明」に記載したとおりである。
　
　
３−３．対比及び判断
　
　本願発明は、本願補正発明から、「薄膜パターン層」が「覆う」「隔壁」の範囲について、「側面及び上面」と限定のあるところを、これを削除したものに相当する。
　そうすると、本願発明と引用発明とは、前述の「２−３．対比及び判断」において述べたように、相違点は存在せず、よって本願発明は引用発明である。
　
　
３−４．むすび
　
　以上のとおり、本願発明は、引用発明であるから、特許法第２９条第１項第３号に規定する発明に該当し、特許を受ける事ができない。
　
　したがって、本願は拒絶すべきものである。
　
　よって、結論のとおり審決する。